【手続補正書】
【提出日】平成28年5月12日(2016.5.12)
【手続補正１】
【補正対象書類名】明細書
【補正対象項目名】００９５
【補正方法】変更
【補正の内容】
【００９５】
１６．前記非官能性エラストマーが、ポリイソブチレン、ポリイソプレン、ブチルゴム、ハロゲン化ブチルゴム、ジエン、スチレンゴムコポリマー、アクリロニトリル、及びこれらのコポリマー又は混合物から選択される、実施形態１３又は１４に記載のコーティング組成物。
本発明の実施態様の一部を以下の項目［１］−［１６］に記載する。
［項目１］
次式：
【化１】
2015524497.tif 000001
（式中、
ａは、少なくとも２０であり、ｂ及びｃのうちの少なくとも１つは、少なくとも１であり、
Ｘは、酸素又は窒素であり、
Ｒ１は、共有結合、又は二価（ヘテロ）ヒドロカルビル基であり、
Ｓｉｌは、ポリジアルキルシロキサンであり、
ｘは、１又は２である）を有するコポリマーを含む組成物。
［項目２］
前記コポリマー中のＳｉｌ基の重量パーセントが、０．１重量％超〜７０重量％未満である、項目１に記載の組成物。
［項目３］
Ｘが酸素であり、且つｘが１であるか、又はＸが窒素であり、且つｘが１若しくは２である、項目１に記載の組成物。
［項目４］
−Ｘ−Ｒ１−が、次式：
−Ｏ−ＣＯ−Ｒ２−（式中、Ｒ２は、アルキレンである）を有する、項目１に記載の組成物。
［項目５］
Ｒ１が、アルキレンである、項目１に記載の組成物。
［項目６］
Ｒ１が、−Ｏ−Ｒ１３−Ｏ−Ｒ１４−（式中、Ｒ１３及びＲ１４は、アルキレンである）である、項目１に記載の組成物。
［項目７］
Ｓｉｌが、次式：
式：
【化２】
2015524497.tif 000002
（式中、
Ｒ３は、それぞれ独立して、アルキル又はアリール基であり、
Ｒ５は、それぞれ独立して、アルキル、アリール、又は−Ｓｉ（Ｒ３）２Ｒ５であり、
Ｒ６は、それぞれ独立して、アルキル、アリール、又は−Ｓｉ（Ｒ３）２Ｒ５であり、
ｚは、０〜２００、好ましくは１〜７５であり、
ｙは、少なくとも３である）を有する、項目１に記載の組成物。
［項目８］
Ｓｉｌが、次式：
【化３】
2015524497.tif 000003
（式中、
各Ｒ７は、独立して、アルキルであり、ｚは、少なくとも３である）を有する、項目７に記載の組成物。
［項目９］
ペンダント不飽和基を有するイソブチレン／イソプレンコポリマーを、ヒドリドポリジオルガノシロキサンでヒドロシリル化する工程を含む、項目１に記載のコポリマーを調製する方法。
［項目１０］
前記ペンダント不飽和基を有するイソブチレン／イソプレンコポリマーが、ハロゲン化イソブチレン／イソプレンコポリマーを、求核性官能基を有する不飽和化合物で求核置換することによって調製される、項目９に記載の方法。
［項目１１］
前記求核性官能基を有する不飽和化合物が、不飽和アルコール、アミン、又はカルボン酸である、項目１０に記載の方法。
［項目１２］
前記求核性エチレン性不飽和化合物が、次式：
【化４】
2015524497.tif 000004
（式中、
Ｘ１は、−Ｏ−、−Ｏ２Ｃ−、−ＮＲ１０−（式中、Ｒ１０は、Ｈ又はＣ１〜Ｃ４アルキルである）、又は−Ｒ８−Ｃ（Ｒ９）＝ＣＲ９２であり、Ｒ８は、多価飽和又は不飽和アルキレン又はアリーレンであり、各Ｒ９は、Ｈ又はＣ１〜Ｃ４アルキルから独立して選択され、前記Ｒ９基のうちのいずれか２つは、一緒になって炭素環を形成してもよい）を有する、項目１０に記載の方法。
［項目１３］
前記ヒドリドポリジオルガノシロキサンが、次式：
【化５】
2015524497.tif 000005
（式中、
Ｒ３は、それぞれ独立して、アルキル又はアリール基であり、
Ｒ５は、それぞれ独立して、アルキル、アリール、又は−Ｓｉ（Ｒ３）２Ｒ５であり、
Ｒ６は、それぞれ独立して、アルキル、アリール、又は−Ｓｉ（Ｒ３）２Ｒ５であり、
ｚは、０〜２０、好ましくは１〜７５であり、
ｙは、少なくとも１０であり、前記Ｒ５又はＲ６基のうちの少なくとも１つは、Ｈである）を有する、項目９に記載の方法。
［項目１４］
項目１〜８のいずれか一項に記載のコポリマーと非官能性エラストマーとを含む、コーティング組成物。
［項目１５］
項目１４に記載のコーティング組成物であって、
ａ）０．１〜５０重量％の前記コポリマーと、
ｂ）５０〜９９．９重量％の前記非官能性エラストマーと、を含む、コーティング組成物。
［項目１６］
前記非官能性エラストマーが、ポリイソブチレン、ポリイソプレン、ポリブタジエン、ブチルゴム、ハロゲン化ブチルゴム、ジエン、スチレンゴムコポリマー、アクリロニトリル、及びこれらのコポリマー又は混合物から選択される、項目１４に記載のコーティング組成物。
【手続補正２】
【補正対象書類名】特許請求の範囲
【補正対象項目名】全文
【補正方法】変更
【補正の内容】
【特許請求の範囲】
【請求項１】
次式：
【化１】
2015524497.tif 000006
（式中、
ａは、少なくとも２０であり、ｂ及びｃのうちの少なくとも１つは、少なくとも１であり、
Ｘは、酸素又は窒素であり、
Ｒ１は、共有結合、又は二価（ヘテロ）ヒドロカルビル基であり、
Ｓｉｌは、ポリジアルキルシロキサンであり、
ｘは、１又は２である）を有するコポリマーを含む組成物。
【請求項２】
前記コポリマー中のＳｉｌ基の重量パーセントが、０．１重量％超〜７０重量％未満である、請求項１に記載の組成物。
【請求項３】
Ｘが酸素であり、且つｘが１であるか、又はＸが窒素であり、且つｘが１若しくは２である、請求項１に記載の組成物。
【請求項４】
−Ｘ−Ｒ１−が、次式：
−Ｏ−ＣＯ−Ｒ２−（式中、Ｒ２は、アルキレンである）を有する、請求項１に記載の組成物。
【請求項５】
Ｒ１が、アルキレンである、請求項１に記載の組成物。
【請求項６】
Ｒ１が、−Ｒ１３−Ｏ−Ｒ１４−（式中、Ｒ１３及びＲ１４は、アルキレンである）である、請求項１に記載の組成物。
【請求項７】
Ｓｉｌが、次式：
【化２】
2015524497.tif 000007
（式中、
Ｒ３は、それぞれ独立して、アルキル又はアリール基であり、
Ｒ５は、それぞれ独立して、アルキル、アリール、又は−Ｓｉ（Ｒ３）２Ｒ５であり、
Ｒ６は、それぞれ独立して、アルキル、アリール、又は−Ｓｉ（Ｒ３）２Ｒ５であり、
ｚは、０〜２００、好ましくは１〜７５であり、
ｙは、少なくとも３である）を有する、請求項１に記載の組成物。
【請求項８】
Ｓｉｌが、次式：
【化３】
2015524497.tif 000008
（式中、
各Ｒ７は、独立して、アルキルであり、ｚは、少なくとも３である）を有する、請求項７に記載の組成物。
【請求項９】
ペンダント不飽和基を有するイソブチレン／イソプレンコポリマーを、ヒドリドポリジオルガノシロキサンでヒドロシリル化する工程を含む、請求項１に記載のコポリマーを調製する方法。
【請求項１０】
前記ヒドリドポリジオルガノシロキサンが、次式：
【化４】
2015524497.tif 000009
（式中、
Ｒ３は、それぞれ独立して、アルキル又はアリール基であり、
Ｒ５は、それぞれ独立して、アルキル、アリール、又は−Ｓｉ（Ｒ３）２Ｒ５であり、
Ｒ６は、それぞれ独立して、アルキル、アリール、又は−Ｓｉ（Ｒ３）２Ｒ５であり、
ｚは、０〜２００、好ましくは１〜７５であり、
ｙは、少なくとも１０であり、前記Ｒ５又はＲ６基のうちの少なくとも１つは、Ｈである）を有する、請求項９に記載の方法。
【請求項１１】
請求項１〜８のいずれか一項に記載のコポリマーと非官能性エラストマーとを含む、コーティング組成物。
【請求項１２】
請求項１１に記載のコーティング組成物であって、
ａ）０．１〜５０重量％の前記コポリマーと、
ｂ）５０〜９９．９重量％の前記非官能性エラストマーと、を含む、コーティング組成物。